(57)【要約】      （修正有）【課題】表裏２枚のシートを分離させることができる２重タオル地シートを提供する。【解決手段】第１シート１１と第２シート２１との２枚の繊維製シートを備えた２重タオル地シートであって、第１シート１１は、表裏の一方の面が第１付着面１５であり、他方の面が第１非付着面である。第２シート２１は、表裏の一方の面が第２付着面２５であり、他方の面が第２非付着面である。第１シート１１と第２シート２１とは、第１付着面１５と第２付着面２５とが２重タオル地シートの表裏何れかの外面側に来るように、重ね合わせられ一体化される。第１付着面１５と第２付着面２５とを着脱することにより、２重タオル地シートの表と裏をひっつけたり剥がしたりすることができるように構成される。【選択図】図１
0003235650.tif 000002
【実用新案登録請求の範囲】
【請求項１】
第１シートと第２シートとの２枚の繊維製シートを備えた２重タオル地シートにおいて、
前記第１シートは、表裏の一方の面が第１付着面であり、他方の面が第１非付着面であり、
前記第２シートは、表裏の一方の面が第２付着面であり、他方の面が第２非付着面であり、
前記第１付着面と前記第２付着面とは、互いに着脱可能な付着面であり、
前記第１非付着面と前記第２非付着面とは、互いに着脱不能な面であり、
前記第１非付着面と前記第２非付着面とが対向した状態で、前記第１シートと前記第２シートとが重ね合わせられて一体化されており、
前記第１付着面と前記第２付着面とが、前記２重タオル地シートの表裏の外面を構成し、
前記２重タオル地シートの表裏の外面を重ね合わせて、前記第１付着面と前記第２付着面とを着脱することにより、前記２重タオル地シートの表と裏をひっつけたり剥がしたりすることができるように構成されたことを特徴とする２重タオル地シート。
【請求項２】
前記第１シートは、前記第２シートに比べて高い通水性を備えており、
前記第２シートは、前記第１シートに比べて高い保水性を備えており、
前記第１シート側に付与された水分を、前記第２シートにて保水するように構成されたことを特徴とする請求項１に記載の２重タオル地シート。
【請求項３】
前記第１付着面はカットパイルを備え、
前記第２付着面は前記カットパイルに係脱可能なループパイルを備えたものであることを特徴とする請求項１又は２に記載の２重タオル地シート。
【請求項４】
前記第１非付着面と前記第２非付着面とはパイルを備えておらず、
前記カットパイルは、その少なくとも一部のパイルがマイクロファイバーで構成されており、
前記ループパイルは、その少なくとも一部のパイルが前記マイクロファイバーよりも小さな直径のナノファイバーで構成されたものであることを特徴とする請求項３に記載の２重タオル地シート。
【請求項５】
第１シートと第２シートとの２枚の繊維製シートの組み合わせであり、
前記第１シートは、表裏の一方の面が第１付着面であり、他方の面が第１非付着面であり、
前記第２シートは、表裏の一方の面が第２付着面であり、他方の面が第２非付着面であり、
前記第１付着面と前記第２付着面とは、互いに着脱可能な付着面であり、
前記第１非付着面と前記第２非付着面とは、互いに着脱不能な面であり、
前記第１付着面はカットパイルを備え、
前記第２付着面は前記カットパイルに係着脱可能なループパイルを備え、
前記第１付着面と前記第２付着面とを着脱することにより、前記第１シートと前記第２シートとをひっつけたり剥がしたりすることができるように構成されたことを特徴とする２枚のタオル地シートの組み合わせ構造。
【考案の詳細な説明】
【技術分野】
【０００１】
本考案は、タオル地シート、特に２枚のシートを重ね合わせたタオル地シート並びに２枚のタオル地シートの組み合わせ構造に関するものである。
【背景技術】
【０００２】
表裏２枚のシートを重ね合わせたタオル地シートは、二重タオルと呼ばれる製品として実用化されている。
【０００３】
例えば、特許文献１には、ナイロン生地タオルと木綿生地タオルを表裏一体に縫い合わせ、異質のタオルを一本化することによって構成された二重タオルが開示されている。特許文献２には、タオル地とガーゼ地とを重合させてなる二重タオル織物及びその織成方法が開示されている。
【０００４】
ところがこれらのタオル地シートは、表面と裏面とに異なる機能を持たせることを主眼として開発されたものであり、表面と裏面とが組み合わされて一つの機能を果たすことによって、２重タオル地シート全体として、一般的なタオルとは別個の機能を発揮させるものではなかった。
【０００５】
また、従来のタオル地シートは、保水性や通水性や速乾性に関して表裏２枚のシートに異なる機能を持たせて、タオル地シート全体として保水性、通水性、速乾性、保温性について良好な機能、使用者が使い心地が良いと感じる機能を持たせることを提案するものではなかった。
【先行技術文献】
【特許文献】
【０００６】
【特許文献１】登録実用新案第３０９８４８０号公報
【特許文献２】特許２９１２６１２号公報
【考案の概要】
【考案が解決しようとする課題】
【０００７】
本考案は、２重タオル地シートの表裏を互いにひっつけたり離したりできるようにし、これによってラッピング機能などの新たな機能を付与することを課題とする。
本考案の他の課題は、２重タオル地シートの表裏２枚の第１シートと第２シートに異なる機能を持たせて、２重タオル地シート全体として保水性、通水性、速乾性、保温性について良好な機能を持たせることを課題とする。
【課題を解決するための手段】
【０００８】
本考案は、第１シートと第２シートとの２枚の繊維製シートを備えた２重タオル地シート並びに２枚のタオル地シートの組み合わせ構造において、次の手段を備えたものを提供する。前記第１シートは、表裏の一方の面が第１付着面であり、他方の面が第１非付着面であり、前記第２シートは、表裏の一方の面が第２付着面であり、他方の面が第２非付着面である。前記第１付着面と前記第２付着面とは互いに着脱可能な付着面であり、前記第１非付着面と前記第２非付着面とは互いに着脱不能な面である。前記第１非付着面と前記第２非付着面とが対向した状態で、前記第１シートと前記第２シートとが重ね合わせられて一体化されている。前記第１付着面と前記第２付着面とが、前記２重タオル地シートの表裏の外面を構成し、前記２重タオル地シートの表裏の外面を重ね合わせて、前記第１付着面と前記第２付着面とを着脱することにより、前記２重タオル地シートの表と裏をひっつけたり剥がしたりすることができるように構成されたものである。
【０００９】
前記第１シートは前記第２シートに比べて高い通水性を備えており、前記第２シートは前記第１シートに比べて高い保水性を備えており、前記第１シート側に付与された水分を前記第２シートにて保水するように構成することもできる。また、前記第２付着面はループパイルを備え、前記第１付着面は前記ループパイルに係脱可能なカットパイルを備える。また、前記第１非付着面と前記第２非付着面とはパイルを備えておらず、前記カットパイルはその少なくとも一部のパイルがマイクロファイバーで構成されており、前記ループパイルはその少なくとも一部のパイルが前記マイクロファイバーよりも小さな直径のナノファイバーで構成することもできる。
【考案の効果】
【００１０】
本考案は、２重タオル地シートの表裏を互いにひっつけたり離したりできるようにし、これによってラッピングなどの新たな機能を２重タオル地シートに付与することができたものである。
本考案の他の課題は、２重タオル地シート全体として保水性、通水性、速乾性について良好な機能を持たせることができたものである。
【図面の簡単な説明】
【００１１】
【図１】本考案の実施の形態にかかるタオル地シートを用いたハンドタオルの平面図。
【図２】本考案の実施の形態にかかるタオル地シートの第１シートと第２シートの断面図。
【図３】本考案の実施の形態にかかるタオル地シートの第１付着面のカットパイルと第２付着面のループパイルとの係合状態を示す拡大断面の模式図。
【図４】本考案の実施の形態にかかるタオル地シートを用いたハンドタオルの使用状態の一例を示す平面図。
【図５】本考案の実施の形態にかかるタオル地シートを用いたハンドタオルの使用状態の他の一例を示す斜視図。
【図６】本考案の実施の形態にかかるタオル地シートを用いたハンドタオルの使用状態における温度変化を示すグラフ。
【考案を実施するための形態】
【００１２】
以下、図面を参照して本考案の実施の形態を説明する。
（全体の構成）
図１に示す２重タオルはハンドタオルとして実施されたもので、第１シート１１と第２シート２１との２枚の繊維製シートを、重ね合わせた２重タオル地シートから構成されている。
【００１３】
第１シート１１と第２シート２１は、同形同大で重ね合わせて一体化させた状態では、１枚のハンドタオル等と同様に見えるし、手を拭くなどしても分離することなく一枚もののハンドタオル等と同様に取り扱うことができる。
【００１４】
（第１シート１１と第２シート２１の概要）
第１シート１１は丸編機にて編成されたニット製の片面パイルのタオル地（パイルを備えた生地）であり、図２の上側の第１付着面１５と、図２の下側の第１非付着面１２とを備える。
第１付着面１５は地組織部１４から図の上側に向けて立設されたカットパイル１６を略全面に備える。
第１非付着面１２は地組織部１４の下側の面であり、カットパイルやループパイルなどのパイルは設けられていないが、パイルを設けて実施しても構わない。
【００１５】
第２シート２１も丸編機にて編成されたニット製の片面パイルのタオル地（パイルを備えた生地）であり、同図の上側の第２非付着面２２と下側の第２付着面２５とを備える。
第２非付着面２２は地組織部２４の上側の面でありカットパイルやループパイルなどのパイルは設けられていないが、パイルを設けて実施しても構わない。
第２付着面２５は地組織部２４から図の下側に向けて立設されたループパイル２６を略全面に備える。
【００１６】
第１シート１１と第２シート２１とは、第１非付着面１２と第２非付着面２２とが接するように対向させて、重ね合わせられ、ボンディングや逢着など適宜手段で一体化させられる。これによって構成された２重タオル地シートは、その表裏の面が第１付着面１５と第２付着面２５とによって構成されることになる。
【００１７】
２重タオル地シートを、例えば略円筒形にして端部同士を重ねるなどして、２重タオル地シートの表裏の第１付着面１５と第２付着面２５とが接するように重ねられた状態にあっては、第１付着面１５と第２付着面２５は、多数の湾曲したカットパイル１６の先端が、ループパイル２６のループ内に入り込んで係合をする。これにより第１付着面１５と第２付着面２５とが面ファスナーと同様の機能を果たすことになり、２重タオル地シートの重ねられた表裏を着脱可能にしっかりと付着させる。
【００１８】
（第１シート１１の糸）
第１シート１１のカットパイル１６に用いられる糸は、ポリエチレンテレフタレート、ポリエチレンナフタレート、ポリトリメチレンテレフタレート、ポリブチレンテレフタレートなどのポリエステル系繊維や、各種ナイロンなどのポリアミド系繊維などの合成繊維によって構成することができる。
【００１９】
特にカットパイル１６は、マイクロファイバーによって構成することが好ましく、ループの先端をカットすることにより、少なくとも先端が湾曲したフック状に形成されている。なお、ループ先端のカットは、切断したり溶解したりするなどのカットパイルの様々な形成方法に従って実施することができる。
【００２０】
なお、一般にナノファイバーとは直径が１μｍ未満のｎｍ単位であって、長さが直径の１００倍以上の合成繊維とされており、マイクロファイバーとは直径が１〜１０μｍ程度のμｍ単位である合成繊維とされているが、本考案にあっては特に規定しない限りナノファイバーを含めてマイクロファイバーと称するものとする。
【００２１】
また地組織部１４の糸には、各種の合成繊維や天然繊維による糸を採用することができる。
【００２２】
（第２シート２１の糸）
第２シート２１のループパイル２６に用いられる糸は、ポリエチレンテレフタレート、ポリエチレンナフタレート、ポリトリメチレンテレフタレート、ポリブチレンテレフタレートなどのポリエステル系繊維や、各種ナイロンなどのポリアミド系繊維などの合成繊維によって構成することができる。
【００２３】
特にループパイル２６には、カットパイル１６のマイクロファイバーよりも小さな直径のナノファイバーを用いることが好ましい。
さらに好ましくは、ループパイル２６は、異なる種類のマイクロファイバーとナノファイバーを含んだ２種類のパイルによって構成される。これら２種類のパイルは、一種のパイルはナノファイバーを含む糸によって構成されたパイルであり、他の一種のパイルはナノファイバーを含まず、マイクロファイバーによって構成されたパイルであることが適当である。
【００２４】
ナノファイバーは、その一つの特徴として緻密な構造であるため保水力が高いことが挙げられる。他の一つの特徴として、繊維が細いため他の表面への密着度が高く、これを含むパイルは、繊維の本数が多くカットパイル１６のカギ爪部分に対してループパイルが引っ掛かりやすくなるという効果がある（図３参照）。
ループパイル２６について、構成するファイバーの繊維径が異なる２種類のパイルを併用することによって、全体としての耐久性が増し、使用による経時変化に伴う性能の劣化を抑制することができる点で有利である。
【００２５】
（機能性及び用途）
本考案の実施の形態にかかる２重タオルにあっては、表裏の第１付着面１５と第２付着面２５とが接するように重ねることによって、面同士が、しっかりとひっついたり、逆に人が引っ張れば剥がれたりすると言う着脱可能な状態をなす。
【００２６】
この作用によって、例えば図４に示すように、袱紗包みにして各種の物品を包むようにすれば、縫製や金具などを用いなくても、簡易な袋の機能を果たすことができる。例えば、化粧用具を包めば化粧ポーチの代わりになるし、サイズを大きく変更して実施すればタブレットやＰＣを保護するケースの代わりにもなる。また、ループパイル２６を上記のようにナノファイバーを含むものとして実施すれば、スマートフォンなどの液晶等の表示面の汚れを取ることができるため、クリーナークロスとしての機能を果たすこともできる。さらに、保冷剤や化学カイロを包めば、冷やしすぎや低温やけどの抑制機能を果たすことができる。
【００２７】
また、図５に示すように、飲料用の容器や人の腕などにロール状に巻きつければ、係止手段を用いずとも外れてしまうことがなく、飲料用の容器の保温機能（図６参照）を果たすことができると共に、結露の発生を抑制したり、発生した結露や人の発汗を吸い取ると言った様々な機能を果たすことができる。
【００２８】
なお、図６は、カットパイル１６にマイクロファイバーを含み、ループパイル２６にナノファイバーを含んだ実施の形態にかかる二重タオルで包んだ状態（実施の形態）と、包まない状態（ブランク）とについて、３０℃の室内に静置した状態での温度変化を示すものであり、試験開始後2時間経過した時点で１０℃の温度差を生じることが確認されたものである。
【００２９】
さらに、第１シート１１については、ポリエステル繊維を用いることにより（望ましくはポリエステル繊維１００％とすることにより）、吸水性や吸水性が高いものとすることができる。ポリエステル繊維は水分率がほとんど０に近いため、水や汗が生地に触れたときにすぐさま拡散するため肌に感じるべたつき感を抑え、サラサラとした手触り感を維持することができる。
【００３０】
他方、第２シート２１については、前述のようにナノファイバーを用いることにより、第１シート１１に比べて保水性が高いものとすることができる。
その結果、第１シート１１に水などが加えられた場合、その水分は第１シート１１から素早く蒸散するとともに、第２シート２１へ拡散して第２シート２１によって保水される。これによって２重タオルは、表側はサラサラとした手触り感を維持することができる一方、第２シート２１による保水性によって、全体として適度な保つことができる。したがって、水に濡れても表側は良好な手触り感を維持しつつ、２重タオル全体として適度な保水性のあるものとすることができる。
【００３１】
なお、上記の実施の形態ではハンドタオルの例を示したが、その大きさや形状は適宜変更することができ、一般的な浴用タオルやマフラータオルや冷却用タオルとして実施することもできるし、タオルの他、ネックウォーマーなどの防寒用の商品や、熱中症対策用などの商品の全部または一部などに適用することができる。本考案のタオル地シートは、タオル製品を初めとして衣料品など様々な身体操着品の全部又は一部として実施することができる。
【符号の説明】
【００３２】
１１  第１シート
１２  第１非付着面
１４  地組織部
１５  第１付着面
１６  カットパイル
２１  第２シート
２２  第２非付着面
２４  地組織部
２５  第２付着面
２６  ループパイル
【図１】
0003235650.tif 000003
【図２】
0003235650.tif 000004
【図３】
0003235650.tif 000005
【図４】
0003235650.tif 000006
【図５】
0003235650.tif 000007
【図６】
0003235650.tif 000008